(57)【要約】【課題】トイレ室の照明器具とは別に床面に照明手段を設け、とくに、視力の衰えた、あるいは認知症の高齢者が容易に確認することのできる便器設備を提供する。【解決手段】面発光体Ａと便器１とからなる便器設備であって、トイレ室の床面を該面発光体Ａで構成するとともに、上記面発光体Ａの発光によって床面が照明される照明付き便器設備。上記便器１の脚部１１周辺の床面を面発光体Ｂで構成し、トイレ室の床面が部分的に照明されてもよい。また、上記発光体をＬＥＤ３とすることが好ましい。さらに、上記発光体の電気的配線が人体検知センサによってオン、オフする電源スイッチに接続されることが好ましい。【選択図】図１
2007117238.tif 000002
【特許請求の範囲】
【請求項１】
面発光体と便器とからなる便器設備であって、トイレ室の床面を該面発光体で構成するとともに、上記面発光体の発光によって床面が照明される照明付き便器設備。
【請求項２】
上記トイレ室の便器の脚部周辺の床面が面発光体で構成された請求項１に記載の照明付き便器設備。
【請求項３】
上記面発光体が透明合成樹脂と、該透明合成樹脂に埋設された発光体とからなる請求項１に記載の照明付き便器設備。
【請求項４】
上記発光体がＬＥＤである請求項３に記載の照明付き便器設備。
【請求項５】
上記発光体の電気的配線が人体検知センサによってオン、オフする電源スイッチに接続される請求項３に記載の照明付き便器設備。
【発明の詳細な説明】
【技術分野】
【０００１】
本発明は、便器設備に関する。さらに詳しくは、トイレ室の床面に照明手段を備えた便器設備に関する。
【背景技術】
【０００２】
近年、高齢化社会を迎え、足腰が弱った、あるいは視力が衰えた、または認知症を発症した高齢者が増えつつあり、このような高齢者に適合するように改良された便器設備が種々提案されている。例えば、夜間、認知症の高齢者が用を足すとき、トイレ室の照明器具を付け忘れても、自動的にトイレ室の照明を付けるように人体検知センサを設け、便器の位置がわかるように配慮した便器設備が知られている。
【０００３】
また、下記特許文献１には、蓄光部からなる発光する表面を有する便器と、前記蓄光部へ光を照射する照明具とを備えた屋内の間接照明装置が提案されている。すなわち、下記特許文献１の第１図、第２図に示されているように、下記特許文献１には、蓄光部材を焼成もしくは焼き付け、または貼り付け、塗布等の方法により取着された便器と、上記蓄光部材を照らすように配設されたＬＥＤ等の光照射手段からなる間接照明装置が開示されている。そして、この間接照明装置を用いることにより、便器の周辺を中心にしてトイレ室内の全体をほのかに照らすことができる旨記載されている。
【特許文献１】特開２００４−２１８２４３号公報（第１〜４頁、第１図、第２図）
【発明の開示】
【発明が解決しようとする課題】
【０００４】
しかしながら、上記特許文献１に記載の技術は、構成部材が多く、また、取付け作業も繁雑であり、作業性が悪いという問題がある。本発明は、このような問題を解決するためになされたものであって、トイレ室の照明器具とは別に床面に簡単に照明手段を設けることが可能で、とくに、視力の衰えた、あるいは認知症の高齢者が容易に確認することのできる便器設備を提供することを、その課題とする。
【課題を解決するための手段】
【０００５】
上記課題を解決するために、本発明においては、つぎのような技術的手段を講じている。すなわち、請求項１に記載の発明によれば、面発光体と便器とからなる便器設備であって、トイレ室の床面を該面発光体で構成するとともに、上記面発光体の発光によって床面が照明される照明付き便器設備が提供される。上記トイレ室の床面全体を面発光体から構成し、照明されることが好ましい。
【０００６】
請求項２に記載の照明付き便器設備は、請求項１に記載の発明に加えて、上記トイレ室の便器の脚部周辺の床面を面発光体で構成し、トイレ室の床面が部分的に照明されてもよい。
【０００７】
請求項３に記載の照明付き便器設備は、請求項１に記載の発明に加えて、上記面発光体が透明合成樹脂と、該透明合成樹脂に埋設された発光体とからなるものが好適に用いられる。上記透明合成樹脂としては、光を透過し、剛性の大きいものであればとくに限定されず、なかでも、アクリル樹脂が好ましく用いられる。該アクリル樹脂は透明性を保つ範囲内で適宜着色して用いてもよい。
【０００８】
請求項４に記載の照明付き便器設備は、請求項３に記載の発明に加えて、上記発光体がＬＥＤとされる。上記発光体としては、ＬＥＤ、豆電球等を使用することができるが、消費電力が少なく、照明能力の大きいことからＬＥＤが好ましく用いられる。
【０００９】
請求項５に記載の照明付き便器設備は、請求項３に記載の発明に加えて、上記発光体の電気的配線が人体検知センサによってオン、オフする電源スイッチに接続されることが好ましい。上記電源スイッチとしては、人体検知センサによって
動作するもの、マニュアル操作によるもの、電源スイッチが常時オンの状態のもの等をあげることができるが、維持費用、発光体の損耗等の観点から、上記人体検知センサによってオン、オフする電源スイッチが好ましく用いられる。この電源スイッチは、一定時間経過後に電源をオフとするタイマが組み込まれてもよい。
【発明の効果】
【００１０】
請求項１に記載の発明にかかる照明付き便器設備は上記のとおりであり、面発光体と便器とからなるとともに、トイレ室の床面を構成する面発光体の発光によってトイレ室の床面、好ましくは床面全体が照明されるため、とくに、視力の衰えた、あるいは認知症の高齢者が容易に便器を確認することが可能となり、蹴つまずいたり、転倒する等の事故を防ぐことができる。
【００１１】
請求項２に記載の照明付き便器設備は上記のとおりであり、請求項１の照明付き便器設備の有する効果に加え、便器の脚部周辺の床面を面発光体から構成し、トイレ室の床面が部分的に照明されるため、消費電力が少なく、維持費を低コストに抑えることができる。また、便器の脚部周辺を中心にしてトイレ室内の全体がほのかに照らされるため、就寝中、夜中に起き出してトイレを使用しても、暗がりに慣れた目を覚醒させることなく、用を足すことが可能となり、寝室に戻っても、再び安らかに入眠することができる。
【００１２】
請求項３に記載の照明付き便器設備は上記のとおりであり、請求項１の照明付き便器設備の有する効果に加え、上記面発光体が透明合成樹脂と、該透明合成樹脂に埋設された発光体とからなるため、施工作業が容易であり、また、便器の周辺を汚しても発光体を損傷することなく、透明合成樹脂からなる床面の上を容易に清掃することができる。
【００１３】
請求項４に記載の照明付き便器設備は上記のとおりであり、請求項３の照明付き便器設備の有する効果に加え、上記発光体がＬＥＤであるため、消費電力が極めて小さく、維持費を少なく抑えることができる。
【００１４】
請求項５に記載の照明付き便器設備は上記のとおりであり、請求項３の照明付き便器設備の有する効果に加え、上記発光体の電気的配線が人体検知センサによってオン、オフする電源スイッチに接続されているため、使用者、とくに高齢者が電源スイッチを入れ忘れてトイレ室に入っても、上記発光体が自動的に発光し、便器の位置を容易に確認することができる。その結果、粗相することなく、清潔にトイレを使用することができる。また、タイマを用いて一定時間経過後に電源スイッチをオフとすることにより、用を足した後、安全にトイレ室から出ることができる。
【発明を実施するための最良の形態】
【００１５】
以下、本発明の実施形態について図面を参照して、詳細に説明する。図１は、本発明にかかる照明付き便器設備の第１実施形態を示す斜視図である。図１に示すように、上記第１実施形態にかかる照明付き便器設備は、便器本体１とトイレ室の床面全体を構成する発光する面発光体Ａとからなり、この面発光体Ａは、透明で所望の色に着色されたアクリル樹脂板２と、このアクリル樹脂板２に適宜の間隔で埋め込まれたＬＥＤ３から構成される。第１実施形態においては、トイレ室の床面全体が照明される。
【００１６】
図２は、本発明にかかる照明付き便器設備の第２実施形態を示す斜視図である。図２に示すように、上記第２実施形態にかかる照明付き便器設備においては、便器１の脚部１１周辺の床面がアクリル樹脂板２とＬＥＤ３とからなる面発光体Ｂによって構成される。第２実施形態においては、便器１の脚部１１周辺を中心にしてトイレ室の床面が部分的に照明され、トイレ室内の全体がほのかに照明される。
【００１７】
上記第１実施形態、第２実施形態ともに、ＬＥＤ３の電気的配線は図示しないが、上記配線は人体検知センサによってオン、オフする電源スイッチに接続され、使用者がトイレ室に入ると電源がオンとなって上記複数のＬＥＤ３が発光し、第１実施形態においては床面全体が照明され、第２実施形態においては便器１の脚部１１周辺の床面が部分的に照明される。使用者がトイレ室を出ると電源スイッチに組み込まれたタイマが作動し、一定時間経過後に電源がオフとされる。
【００１８】
このようにすることにより、使用者、とくに高齢者が電源スイッチを入れ忘れてトイレ室に入っても上記ＬＥＤ３が自動的に発光し、便器の位置を確認することが可能となり、蹴つまずいたり、転倒する等の事故を防ぐことができる。また、粗相することなく、清潔にトイレを使用することができる。さらに、用を足した後、タイマにより十分な時間的余裕を取った後、電源スイッチがオフとなるため、安全にトイレ室を出ることができる。
【００１９】
なお、上記第２実施形態は便器１の脚部１１周辺の床面を部分的に照明する場合について述べたが、これに限られず、トイレ室の床面の所望の部分を面発光体で構成して部分的に照明することも可能であり、また、ＬＥＤ３の数、発光色等もとくに限定されるものではない。このように、本発明にかかる照明付き便器設備は種々設計変更可能であり、特許請求の範囲を逸脱しない限り、いずれの場合も本発明の技術的範囲に属する。
【図面の簡単な説明】
【００２０】
【図１】本発明にかかる照明付き便器設備の第１実施形態を示す斜視図である。
【図２】本発明にかかる照明付き便器設備の第２実施形態を示す斜視図である。
【符号の説明】
【００２１】
Ａ          第１実施形態における面発光体
Ｂ          第２実施形態における面発光体
１          便器本体
１１        脚部
２          アクリル樹脂板
３          ＬＥＤ
【図１】
2007117238.tif 000003
【図２】
2007117238.tif 000004